(57)【特許請求の範囲】
【請求項１】
記録すべき記録情報を記録媒体に記録する際の当該記録媒体の移動速度を制御するための移動制御情報が、前記記録情報が記録されるべき情報トラックを当該移動制御情報に対応した周波数でウォブリングさせることにより記録されていると共に、前記記録情報を記録媒体に記録する場合の記録制御に用いられる記録制御情報が、前記ウォブリングされた情報トラックと所定の位相関係を有してプリピットを形成することにより予め記録されている記録媒体に対して、前記記録情報を記録する際に前記プリピットによる情報を検出するプリピット情報検出装置であって、
前記情報トラック及び前記隣接トラックに対して光ビームを同時に照射し、当該光ビームの前記情報トラック及び前記隣接トラックからの反射光に基づいて再生信号を出力するピックアップ手段と、
前記出力された再生信号から前記移動制御情報を表すウォブリング信号のみを検出するウォブリング信号検出手段と、
前記再生信号から前記ウォブリング信号に重畳されたプリピット信号を検出するプリピット信号検出手段と、
上記プリピット信号検出手段によるプリピット信号の不検出期間をウォブリング信号の周期単位で計測する計測手段と、
上記計測手段により計測した不検出期間と予め定められた第１の所定期間とを比較し、これらが一致した場合には、プリピット信号による情報を解析するための上記プリピット信号検出手段によるプリピット信号の検出を、上記ウォブリング信号の周期を単位とする第２の所定期間内において許可するプリピット信号検出許可手段と、
を備えたことを特徴とするプリピット情報検出装置。
【請求項２】
記録すべき記録情報を記録媒体に記録する際の当該記録媒体の移動速度を制御するための移動制御情報が、前記記録情報が記録されるべき情報トラックを当該移動制御情報に対応した周波数でウォブリングさせることにより記録されていると共に、前記記録情報を記録媒体に記録する場合の記録制御に用いられる記録制御情報が、前記ウォブリングされた情報トラックと所定の位相関係を有してプリピットを形成することにより予め記録されている記録媒体に対して、前記記録情報を記録する際に前記プリピットによる情報を検出するプリピット情報検出装置であって、
前記情報トラック及び前記隣接トラックに対して光ビームを同時に照射し、当該光ビームの前記情報トラック及び前記隣接トラックからの反射光に基づいて再生信号を出力するピックアップ手段と、
前記出力された再生信号から前記移動制御情報を表すウォブリング信号のみを検出するウォブリング信号検出手段と、
前記再生信号から前記ウォブリング信号に重畳されたプリピット信号を検出するプリピット信号検出手段と、
上記プリピット信号検出手段によるプリピット信号の不検出期間をウォブリング信号の周期単位で計測する第１の計測手段と、
上記第１の計測手段により計測した不検出期間と予め定められた第１の所定期間とを比較し、これらが一致した場合には、プリピット信号による情報を解析するための上記プリピット信号検出手段によるプリピット信号の検出を、上記ウォブリング信号の周期を単位とする第２の所定期間内において許可するプリピット信号検出許可手段と、
上記第２の所定期間を計測する第２の計測手段と、
上記プリピット信号検出許可手段による検出許可後の最初の検出を契機として、上記ウォブリング信号の周期に対応する周期で自走して、自走開始からの経過時間を計測する第３の計測手段と、
を備えたことを特徴とするプリピット情報検出装置。
【請求項３】
上記第２の計測手段による計測開始のタイミングと、上記第３の計測手段による計測開始のタイミングを比較する比較手段と、上記ウォブリング信号の周期を単位とする両者の不一致回数に応じて、上記第２の計測手段または上記第３の計測手段を再起動させる修正手段とを更に備えたことを特徴とする請求項２に記載のプリピット情報検出装置。
【請求項４】
上記第３の計測手段により計測される上記経過時間に応じて、プリピット情報解析のためのタイミング信号を発生させるタイミング信号発生手段を更に備えたことを特徴とする請求項２または請求項３に記載のプリピット情報検出装置。
【請求項５】
所定の周波数を有する基準信号を生成する基準信号生成手段と、所定の周期で検出される上記プリピット信号と上記基準信号との位相を比較し、当該位相差が所定範囲内に収束するように上記基準信号の周波数を変更する位相比較手段とを更に備え、当該位相比較手段は、上記タイミング信号発生手段によるタイミング信号が出力された期間においてのみ動作が許可されることを特徴とする請求項４に記載のプリピット情報検出装置。
【請求項６】
記録すべき記録情報を記録媒体に記録する際の当該記録媒体の移動速度を制御するための移動制御情報が、前記記録情報が記録されるべき情報トラックを当該移動制御情報に対応した周波数でウォブリングさせることにより記録されていると共に、前記記録情報を記録媒体に記録する場合の記録制御に用いられる記録制御情報が、前記ウォブリングされた情報トラックと所定の位相関係を有してプリピットを形成することにより予め記録されている記録媒体に対して、前記記録情報を記録する際に前記プリピットによる情報を検出するプリピット情報検出方法であって、
前記情報トラック及び前記隣接トラックに対して光ビームを同時に照射し、当該光ビームの前記情報トラック及び前記隣接トラックからの反射光に基づいて再生信号を出力する工程と、
前記出力された再生信号から前記移動制御情報を表すウォブリング信号のみを検出する工程と、
前記再生信号から前記ウォブリング信号に重畳されたプリピット信号を検出する工程と、
上記プリピット信号の不検出期間をウォブリング信号の周期単位で計測する計測工程と、
上記計測工程により計測した不検出期間と予め定められた第１の所定期間とを比較し、これらが一致した場合には、プリピット信号による情報を解析するためのプリピット信号の検出を、上記ウォブリング信号の周期を単位とする第２の所定期間内において許可する工程と、
を備えたことを特徴とするプリピット情報検出方法。
【請求項７】
記録すべき記録情報を記録媒体に記録する際の当該記録媒体の移動速度を制御するための移動制御情報が、前記記録情報が記録されるべき情報トラックを当該移動制御情報に対応した周波数でウォブリングさせることにより記録されていると共に、前記記録情報を記録媒体に記録する場合の記録制御に用いられる記録制御情報が、前記ウォブリングされた情報トラックと所定の位相関係を有してプリピットを形成することにより予め記録されている記録媒体に対して、前記記録情報を記録する際に前記プリピットによる情報を検出するプリピット情報検出方法であって、
前記情報トラック及び前記隣接トラックに対して光ビームを同時に照射し、当該光ビームの前記情報トラック及び前記隣接トラックからの反射光に基づいて再生信号を出力する工程と、
前記出力された再生信号から前記移動制御情報を表すウォブリング信号のみを検出する工程と、
前記再生信号から前記ウォブリング信号に重畳されたプリピット信号を検出する工程と、
上記プリピット信号の不検出期間をウォブリング信号の周期単位で計測する第１の計測工程と、
上記第１の計測工程により計測した不検出期間と予め定められた第１の所定期間とを比較し、これらが一致した場合には、プリピット信号による情報を解析するための上記１プリピット信号の検出を、上記ウォブリング信号の周期を単位とする第２の所定期間内において許可する工程と、
上記第２の所定期間を計測する第２の計測工程と、
上記プリピット信号の検出許可後の最初の検出を契機として、上記ウォブリング信号の周期に対応する周期で自走して、自走開始からの経過時間を計測する第３の計測工程と、
を備えたことを特徴とするプリピット情報検出方法。
【請求項８】
上記第２の計測工程による計測開始のタイミングと、上記第３の計測工程による計測開始のタイミングを比較する工程と、上記ウォブリング信号の周期を単位とする両者の不一致回数に応じて、上記第２の計測工程または上記第３の計測工程を最初から実行させる修正工程とを更に備えたことを特徴とする請求項７に記載のプリピット情報検出方法。
【請求項９】
上記第３の計測工程により計測される上記経過時間に応じて、プリピット情報解析のためのタイミング信号を発生させる工程を更に備えたことを特徴とする請求項７または請求項８に記載のプリピット情報検出方法。
【請求項１０】
所定の周波数を有する基準信号を生成する工程と、所定の周期で検出される上記プリピット信号と上記基準信号との位相を比較し、当該位相差が所定範囲内に収束するように上記基準信号の周波数を変更する位相比較工程とを更に備え、当該位相比較工程は、上記タイミング信号を発生させる工程によるタイミング信号が出力された期間においてのみ実行が許可されることを特徴とする請求項７に記載のプリピット情報検出方法。
【発明の詳細な説明】
【０００１】
【発明の属する技術分野】
本発明は、従来のＣＤ（Compact Disk）等よりも記録密度を飛躍的に向上させたＤＶＤ（Digital Video Disk またはDigital Versatile Disk）に代表される高密度記録媒体のうち、追記可能なＷＯ（Write Once）型の記録媒体（以下、ＤＶＤ−Ｒ（DVD-Recordable）という。）において、画像情報等の記録情報の記録時の位置検索等に必要なアドレス情報又は同期信号或いはウォブリング信号等のＤＶＤ−Ｒの回転制御に用いられる回転制御情報等（以下、これらを総称してプリ情報という。）が予め記録されたＤＶＤ−Ｒから当該プリ情報を検出する装置及び検出する方法の技術分野に属するものである。
【０００２】
【従来の技術】
従来、上述のような、プリ情報が予め記録されており、当該プリ情報に基づいて情報が追記可能な記録媒体としては、ＣＤと同程度の記録容量を備える光ディスクであるＣＤ−Ｒ（CD-Recordable）が知られている。
【０００３】
そして、当該ＣＤ−Ｒにおいては、予めＣＤ−Ｒ製造時のプリフォーマットの段階で、記録情報を記録する情報トラック（グルーブトラック又はランドトラック）を、記録すべきプリ情報を予めＦＭ（Frequency Modulation）変調した信号に対応する周波数で波型にウォブリングさせることにより当該プリ情報が記録されていた。
【０００４】
また、従来のＣＤ−Ｒに対して実際に記録情報を記録する際には、当該ウォブリングされているトラックのウォブリング周波数を検出し、これに基づいてＣＤ−Ｒを回転制御するための基準クロックを抽出し、当該抽出した基準クロックに基づいてＣＤ−Ｒを回転させるスピンドルモータを回転制御するための駆動信号を生成すると共に、ＣＤ−Ｒの回転に同期したタイミング情報を含む記録用クロック信号を生成していた。
【０００５】
更に、記録情報の記録時に必要なＣＤ−Ｒ上のアドレスを示す前記アドレス情報については、前記記録情報の記録時に前記プリ情報を再生し、これに基づいて記録すべき位置を検出して記録情報を記録していた。
【０００６】
しかし、上述のＤＶＤ−Ｒにおいては、その高記録密度化の要請から隣り合う情報トラックの間隔がＣＤ−Ｒに比してほぼ半分程度となっているため、従来のようにＤＶＤ−Ｒにおける情報トラックをウォブリングしてプリ情報を取得しようとしても、隣接する情報トラックにおけるウォブリング周波数が干渉し合って正確にウォブリング周波数を検出できない場合がある。
【０００７】
そこで、前記ＤＶＤ−Ｒにおいては、当該ＤＶＤ−Ｒにおける情報トラック（例えば、グルーブトラック）を前記基準クロックに基づいた周波数でウォブリングさせると共に、これに加えて、前記プリ情報が二つの前記情報トラックの間にあるトラック（例えば、ランドトラック）に当該プリ情報に対応するプリピットを形成することによっても記録されている。更に、必要に応じて当該プリピットからも前記基準クロックが再生できるようにするために、当該プリピットはＤＶＤ−Ｒの全面に渡ってほぼ均等に形成されている。
【０００８】
従来は、このようなプリピットを検出することによってプリ情報を取得し、このプリ情報に基づいて正確な回転制御及び記録制御を行っていた。
【０００９】
【発明が解決しようとする課題】
ところで、従来におけるプリピットの検出は、次のような方法により行われている。
【００１０】
まず、前記情報トラックに光ビームを照射することによって得られるウォブリング周波数成分を含む信号（以下、ウォブリング信号という。）に同期したゲート信号を生成する。
【００１１】
次に、前記ウォブリング信号と所定の閾値信号とを比較することにより、所定の閾値信号を超える信号のみを抽出する。
【００１２】
そして、この抽出した信号と前記ゲート信号との論理積をとることにより、ウォブリング信号に重畳されたプリピット信号を抜き出す。
【００１３】
従って、ディスクに埃やごみが付着している場合、あるいはディスクに記録された他の信号からのクロストークが生じる場合には、ウォブリング信号上にノイズが混入し、このノイズがプリピット検出信号として誤検出される場合があった。
【００１４】
その結果、記録情報の記録時の位置検索等に必要なアドレス情報又は同期信号の情報を正確に得ることができず、ＤＶＤ−Ｒ等を用いた記録装置が誤動作を起こすことがあった。
【００１５】
そこで、本発明は、このような問題点を解決し、ウォブリング信号にノイズ成分が重畳された場合でも、正確にプリピット信号に基づく情報を得ることのできる情報記録装置及び情報記録方法を提供することを課題としている。
【００１６】
【課題を解決するための手段】
請求項１に記載のプリピット情報検出装置は、前記課題を解決するために、記録すべき記録情報を記録媒体に記録する際の当該記録媒体の移動速度を制御するための移動制御情報が、前記記録情報が記録されるべき情報トラックを当該移動制御情報に対応した周波数でウォブリングさせることにより記録されていると共に、前記記録情報を記録媒体に記録する場合の記録制御に用いられる記録制御情報が、前記ウォブリングされた情報トラックと所定の位相関係を有してプリピットを形成することにより予め記録されている記録媒体に対して、前記記録情報を記録する際に前記プリピットによる情報を検出するプリピット情報検出装置であって、前記情報トラック及び前記隣接トラックに対して光ビームを同時に照射し、当該光ビームの前記情報トラック及び前記隣接トラックからの反射光に基づいて再生信号を出力するピックアップ手段と、前記出力された再生信号から前記移動制御情報を表すウォブリング信号のみを検出するウォブリング信号検出手段と、前記再生信号から前記ウォブリング信号に重畳されたプリピット信号を検出するプリピット信号検出手段と、上記プリピット信号検出手段によるプリピット信号の不検出期間をウォブリング信号の周期単位で計測する計測手段と、上記計測手段により計測した不検出期間と予め定められた第１の所定期間とを比較し、これらが一致した場合には、プリピット信号による情報を解析するための上記プリピット信号検出手段によるプリピット信号の検出を、上記ウォブリング信号の周期を単位とする第２の所定期間内において許可するプリピット信号検出許可手段とを備えたことを特徴とする。
【００１７】
請求項１に記載のプリピット情報検出装置によれば、ピックアップ手段により、上記記録媒体に対して光ビームの照射が行われ、再生信号が出力されると、ウォブリング信号検出手段によりウォブリング信号の検出が行われる。このウォブリング信号には、プリピット信号が重畳されるが、その重畳される期間は、所定期間内に限られており、重畳される期間とされない期間が周期的に繰り返されることになる。そこで、計測手段により、プリピット信号がウォブリング信号に重畳されない期間において、プリピット信号の不検出期間をウォブリング信号の周期単位で計測する。そして、この不検出期間と第１の所定期間とが一致した場合には、次には上記重畳される期間が到来するので、プリピット信号検出許可手段により、プリピット信号による情報を解析するために、プリピット信号検出手段によるプリピット信号の検出を許可する。その結果、当該検出は、確実にプリピット信号が重畳される期間において行われることになり、ノイズ成分を誤ってプリピット信号と検出してしまうことがなくなる。
【００１８】
請求項２に記載のプリピット情報検出装置は、前記請求項１に記載のプリピット情報検出装置において、記録すべき記録情報を記録媒体に記録する際の当該記録媒体の移動速度を制御するための移動制御情報が、前記記録情報が記録されるべき情報トラックを当該移動制御情報に対応した周波数でウォブリングさせることにより記録されていると共に、前記記録情報を記録媒体に記録する場合の記録制御に用いられる記録制御情報が、前記ウォブリングされた情報トラックと所定の位相関係を有してプリピットを形成することにより予め記録されている記録媒体に対して、前記記録情報を記録する際に前記プリピットによる情報を検出するプリピット情報検出装置であって、前記情報トラック及び前記隣接トラックに対して光ビームを同時に照射し、当該光ビームの前記情報トラック及び前記隣接トラックからの反射光に基づいて再生信号を出力するピックアップ手段と、前記出力された再生信号から前記移動制御情報を表すウォブリング信号のみを検出するウォブリング信号検出手段と、前記再生信号から前記ウォブリング信号に重畳されたプリピット信号を検出するプリピット信号検出手段と、上記プリピット信号検出手段によるプリピット信号の不検出期間をウォブリング信号の周期単位で計測する第１の計測手段と、上記第１の計測手段により計測した不検出期間と予め定められた第１の所定期間とを比較し、これらが一致した場合には、プリピット信号による情報を解析するための上記プリピット信号検出手段によるプリピット信号の検出を、上記ウォブリング信号の周期を単位とする第２の所定期間内において許可するプリピット信号検出許可手段と、上記第２の所定期間を計測する第２の計測手段と、上記プリピット信号検出許可手段による検出許可後の最初の検出を契機として、上記ウォブリング信号の周期に対応する周期で自走して、自走開始からの経過時間を計測する第３の計測手段とを備えたことを特徴とする。
【００１９】
請求項２に記載のプリピット情報検出装置によれば、ピックアップ手段により、上記記録媒体に対して光ビームの照射が行われ、再生信号が出力されると、ウォブリング信号検出手段によりウォブリング信号の検出が行われる。このウォブリング信号には、プリピット信号が重畳されるが、その重畳される期間は、所定期間内に限られており、重畳される期間とされない期間が周期的に繰り返されることになる。そこで、第１の計測手段により、プリピット信号がウォブリング信号に重畳されない期間において、プリピット信号の不検出期間をウォブリング信号の周期単位で計測する。そして、この不検出期間と第１の所定期間とが一致した場合には、次には上記重畳される期間が到来するので、プリピット信号検出許可手段により、プリピット信号による情報を解析するために、プリピット信号検出手段によるプリピット信号の検出を許可する。その結果、当該検出は、確実にプリピット信号が重畳される期間において行われることになり、ノイズ成分を誤ってプリピット信号と検出してしまうことがなくなる。更に、上記プリピット信号検出許可手段による検出許可後の最初の検出を契機として、第３の計測手段が上記ウォブリング信号の周期に対応する周期で自走を開始し、自走開始からの経過時間が計測される。従って、第３の計測手段が自走を開始した以降は、第３の計測手段による計測結果を用いて、上記プリピット信号の重畳される期間と重畳されない期間とを判別し、ノイズに影響されることなく、プリピット信号に基づく情報が正確に得られることになる。
【００２０】
請求項３に記載のプリピット情報検出装置は、前記請求項２に記載のプリピット情報検出装置において、上記第２の計測手段による計測開始のタイミングと、上記第３の計測手段による計測開始のタイミングを比較する比較手段と、上記ウォブリング信号の周期を単位とする両者の不一致回数に応じて、上記第２の計測手段または上記第３の計測手段を再起動させる修正手段とを更に備えたことを特徴とする。
【００２１】
請求項３に記載のプリピット情報検出装置によれば、比較手段により、上記第２の計測手段による計測開始のタイミングと、上記第３の計測手段による計測開始のタイミングを比較し、修正手段により、上記ウォブリング信号の周期を単位とする両者の不一致回数に応じて、上記第２の計測手段または上記第３の計測手段を再起動させるので、上記第２の計測手段あるいは第３の計測手段のいずれかが誤ったタイミングで計測を開始したとしても、その後に正しいタイミングへと修正が行われ、常に正確なプリピット信号情報の検出が行われる。
【００２２】
請求項４に記載のプリピット情報検出装置は、前記請求項２または請求項３に記載のプリピット情報検出装置において、上記第３の計測手段により計測される上記経過時間に応じて、プリピット情報解析のためのタイミング信号を発生させるタイミング信号発生手段を更に備えたことを特徴とする。
【００２３】
請求項４に記載のプリピット情報検出装置によれば、タイミング信号発生手段により、上記第３の計測手段により計測される上記経過時間に応じて、プリピット情報解析のためのタイミング信号が発生されるので、当該タイミング信号はノイズに影響されない正確なものとなり、この正確なタイミング信号により、正確に検出されたプリピット信号に基づく情報の処理が行われることになる。
【００２４】
請求項５に記載のプリピット情報検出装置は、前記請求項４に記載のプリピット情報検出装置において、所定の周波数を有する基準信号を生成する基準信号生成手段と、所定の周期で検出される上記プリピット信号と上記基準信号との位相を比較し、当該位相差が所定範囲内に収束するように上記基準信号の周波数を変更する位相比較手段とを更に備え、当該位相比較手段は、上記タイミング信号発生手段によるタイミング信号が出力された期間においてのみ動作が許可されることを特徴とする。
【００２５】
請求項５に記載のプリピット情報検出装置によれば、基準信号生成手段により所定の周波数を有する基準信号を生成すると共に、位相比較手段により、所定の周期で検出される上記プリピット信号と上記基準信号との位相を比較して、当該位相差が所定範囲内に収束するように上記基準信号の周波数を変更するので、上記基準信号とプリピット信号の位相は常に一致したものとなり、正確な処理が行われる。しかも、上記位相比較手段は、上記タイミング信号発生手段によるタイミング信号が出力された期間においてのみ動作が許可されるので、ノイズの影響を受けることなく、正確に動作することになる。
【００２６】
請求項６に記載のプリピット情報検出方法は 、前記課題を解決するために、記録すべき記録情報を記録媒体に記録する際の当該記録媒体の移動速度を制御するための移動制御情報が、前記記録情報が記録されるべき情報トラックを当該移動制御情報に対応した周波数でウォブリングさせることにより記録されていると共に、前記記録情報を記録媒体に記録する場合の記録制御に用いられる記録制御情報が、前記ウォブリングされた情報トラックと所定の位相関係を有してプリピットを形成することにより予め記録されている記録媒体に対して、前記記録情報を記録する際に前記プリピットによる情報を検出するプリピット情報検出方法であって、前記情報トラック及び前記隣接トラックに対して光ビームを同時に照射し、当該光ビームの前記情報トラック及び前記隣接トラックからの反射光に基づいて再生信号を出力する工程と、前記出力された再生信号から前記移動制御情報を表すウォブリング信号のみを検出する工程と、前記再生信号から前記ウォブリング信号に重畳されたプリピット信号を検出する工程と、上記プリピット信号の不検出期間をウォブリング信号の周期単位で計測する計測工程と、上記計測工程により計測した不検出期間と予め定められた第１の所定期間とを比較し、これらが一致した場合には、プリピット信号による情報を解析するためのプリピット信号の検出を、上記ウォブリング信号の周期を単位とする第２の所定期間内において許可する工程とを備えたことを特徴とする。
【００２７】
請求項６に記載のプリピット情報検出方法によれば、上記記録媒体に対して光ビームの照射が行われ、再生信号が出力されると、ウォブリング信号の検出が行われる。このウォブリング信号には、プリピット信号が重畳されるが、その重畳される期間は、所定期間内に限られており、重畳される期間とされない期間が周期的に繰り返されることになる。そこで、プリピット信号がウォブリング信号に重畳されない期間において、プリピット信号の不検出期間をウォブリング信号の周期単位で計測する。そして、この不検出期間と第１の所定期間とが一致した場合には、次には上記重畳される期間が到来するので、プリピット信号による情報を解析するために、プリピット信号の検出を許可する。その結果、当該検出は、確実にプリピット信号が重畳される期間において行われることになり、ノイズ成分を誤ってプリピット信号と検出してしまうことがなくなる。
【００２８】
請求項７に記載のプリピット情報検出方法は、前記課題を解決するために、記録すべき記録情報を記録媒体に記録する際の当該記録媒体の移動速度を制御するための移動制御情報が、前記記録情報が記録されるべき情報トラックを当該移動制御情報に対応した周波数でウォブリングさせることにより記録されていると共に、前記記録情報を記録媒体に記録する場合の記録制御に用いられる記録制御情報が、前記ウォブリングされた情報トラックと所定の位相関係を有してプリピットを形成することにより予め記録されている記録媒体に対して、前記記録情報を記録する際に前記プリピットによる情報を検出するプリピット情報検出方法であって、前記情報トラック及び前記隣接トラックに対して光ビームを同時に照射し、当該光ビームの前記情報トラック及び前記隣接トラックからの反射光に基づいて再生信号を出力する工程と、前記出力された再生信号から前記移動制御情報を表すウォブリング信号のみを検出する工程と、前記再生信号から前記ウォブリング信号に重畳されたプリピット信号を検出する工程と、上記プリピット信号の不検出期間をウォブリング信号の周期単位で計測する第１の計測工程と、上記第１の計測工程により計測した不検出期間と予め定められた第１の所定期間とを比較し、これらが一致した場合には、プリピット信号による情報を解析するための上記１プリピット信号の検出を、上記ウォブリング信号の周期を単位とする第２の所定期間内において許可する工程と、上記第２の所定期間を計測する第２の計測工程と、上記プリピット信号の検出許可後の最初の検出を契機として、上記ウォブリング信号の周期に対応する周期で自走して、自走開始からの経過時間を計測する第３の計測工程とを備えたことを特徴とする。
【００２９】
請求項７に記載のプリピット情報検出方法によれば、上記記録媒体に対して光ビームの照射が行われ、再生信号が出力されると、ウォブリング信号の検出が行われる。このウォブリング信号には、プリピット信号が重畳されるが、その重畳される期間は、所定期間内に限られており、重畳される期間とされない期間が周期的に繰り返されることになる。そこで、プリピット信号がウォブリング信号に重畳されない期間において、プリピット信号の不検出期間を第１の計測工程としてウォブリング信号の周期単位で計測する。そして、この不検出期間と第１の所定期間とが一致した場合には、次には第２の計測工程により計測される上記重畳される期間が到来するので、プリピット信号による情報を解析するために、プリピット信号の検出を許可する。その結果、当該検出は、確実にプリピット信号が重畳される期間において行われることになり、ノイズ成分を誤ってプリピット信号と検出してしまうことがなくなる。更に、検出許可後の最初の検出を契機として、上記ウォブリング信号の周期に対応する周期で自走を開始し、自走開始からの経過時間を第３の計測工程として計測する。従って、自走による計測を開始した以降は、その計測結果を用いて、上記プリピット信号の重畳される期間と重畳されない期間とを判別し、ノイズに影響されることなく、プリピット信号に基づく情報が正確に得られることになる。
【００３０】
請求項８に記載のプリピット情報検出方法は、上記請求項７に記載のプリピット情報検出方法において、上記第２の計測工程による計測開始のタイミングと、上記第３の計測工程による計測開始のタイミングを比較する工程と、上記ウォブリング信号の周期を単位とする両者の不一致回数に応じて、上記第２の計測工程または上記第３の計測工程を最初から実行させる修正工程とを更に備えたことを特徴とする。
【００３１】
請求項８に記載のプリピット情報検出方法によれば、上記第２の計測工程による計測開始のタイミングと、上記第３の計測工程による計測開始のタイミングを比較し、上記ウォブリング信号の周期を単位とする両者の不一致回数に応じて、上記第２の計測工程または上記第３の計測工程を再実行させるので、上記第２の計測工程あるいは第３の計測工程のいずれかが誤ったタイミングで計測を開始したとしても、その後に正しいタイミングへと修正が行われ、常に正確なプリピット信号情報の検出が行われる。
【００３２】
請求項９に記載のプリピット情報検出方法は、前記請求項７または請求項８に記載のプリピット情報検出方法において、上記第３の計測工程により計測される上記経過時間に応じて、プリピット情報解析のためのタイミング信号を発生させる工程を更に備えたことを特徴とする。
【００３３】
請求項９に記載のプリピット情報検出方法によれば、上記第３の計測工程により計測される上記経過時間に応じて、プリピット情報解析のためのタイミング信号が発生されるので、当該タイミング信号はノイズに影響されない正確なものとなり、この正確なタイミング信号により、正確に検出されたプリピット信号に基づく情報の処理が行われることになる。
【００３４】
請求項１０に記載のプリピット情報検出手段は、前記請求項７に記載のプリピット検索情報において、請求項９に記載の所定の周波数を有する基準信号を生成する工程と、所定の周期で検出される上記プリピット信号と上記基準信号との位相を比較し、当該位相差が所定範囲内に収束するように上記基準信号の周波数を変更する位相比較工程とを更に備え、当該位相比較工程は、上記タイミング信号を発生させる工程によるタイミング信号が出力された期間においてのみ実行が許可されることを特徴とする請求項７に記載のプリピット情報検出方法。
【００３５】
請求項１０に記載のプリピット情報検出方法によれば、所定の周波数を有する基準信号を生成すると共に、所定の周期で検出される上記プリピット信号と上記基準信号との位相を比較して、当該位相差が所定範囲内に収束するように上記基準信号の周波数を変更するので、上記基準信号とプリピット信号の位相は常に一致したものとなり、正確な処理が行われる。しかも、上記位相比較の工程は、タイミング信号が出力された期間においてのみ許可されるので、ノイズの影響を受けることなく、正確に実行されることになる。
【００３６】
【発明の実施の形態】
次に本発明に好適な実施の形態について図面に基づいて説明する。
【００３７】
初めに、記録制御情報としてのプリ情報に対応したプリピットを形成すると共に後述のグルーブトラックを所定の周波数でウォブリングさせて回転制御情報を記録した記録媒体としてのＤＶＤ−Ｒの実施形態について図１及び図２を用いて説明する。
【００３８】
初めに、図１を用いて本実施形態のＤＶＤ−Ｒの構造について説明する。
【００３９】
図１において、ＤＶＤ一Ｒ１は色素膜５を備えた一回のみ情報の書込みが可能な色素型ＤＶＤ−Ｒであり、情報トラックとしてのグルーブトラック２と当該グルーブトラック２に再生光又は記録光としてのレーザビーム等の光ビームＢを誘導するための隣接トラックとしてのランドトラック３が形成されている。また、それらを保護するための保護膜７及び記録された情報を再生する際に光ビームＢを反射するための金蒸着面６を備えている。そして、このランドトラック３にプリ情報に対応するプリピット４が形成されている。このプリピット４はＤＶＤ一Ｒ１を出荷する前に予め形成されているものである。
【００４０】
更に、当該ＤＶＤ一Ｒ１においては、グルーブトラック２を当該ＤＶＤ一Ｒｌの回転速度に対応する周波数でウォブリングさせている。このグルーブトラック２のウォブリングによる回転制御情報の記録は、上記プリピット４と同様に、ＤＶＤ一Ｒｌを出荷する前に予め実行されるものである。
【００４１】
そして、ＤＶＤ一Ｒ１に記録情報（プリ情報及び回転制御情報以外の本来記録すべき画像情報等の情報をいう。以下同じ。）を記録する際には、後述の情報記録装置において、グルーブトラック２のウォブリングの周波数を検出することにより回転制御情報を取得してＤＶＤ一Ｒ１を所定の回転速度で回転制御すると共に、プリピット４を検出することにより、予めプリ情報を取得し、それに基づいて記録光としての光ビームＢの最適出力等が設定されると共に、記録情報を記録すべきＤＶＤ−Ｒ１上の位置であるアドレス情報等が取得され、このアドレス情報に基づいて記録情報が対応する記録位置に記録される。
【００４２】
ここで、記録情報の記録時には、光ビームＢをその中心がグルーブトラック２の中心と一致するように照射してグルーブトラック２上に記録情報に対応する記録情報ピットを形成することにより記録情報を形成する。この時、光スポットＳＰの大きさは、図１に示すように、その一部がグルーブトラック２だけでなくランドトラック３にも照射されるように設定される。そして、このランドトラック３に照射された光スボットＳＰの一部の反射光を用いてブッシュプル法（ＤＶＤ一Ｒｌの回転方向に平行な分割線により分割された光検出器を用いたプッシュプル法（以下、ラジアルプッシュプル方式という。））によりプリピット４からプリ情報を検出して当該ブリ情報が取得されると共に、グルーブトラック２に照射されている光スポットＳＰの反射光を用いてグルーブトラック２からウォブリング信号が検出されて回転制御用のクロック信号が取得される。
【００４３】
次に、本実施形態のＤＶＤ一Ｒ１に予め記録されているプリ情報及び回転制御情報の記録フォーマットについて、図２（Ａ），（Ｂ）を用いて説明する。なお、図２（Ａ）は、記録情報を再生した時の信号のうちプリピット信号が得られる部分の信号を示し、（Ｂ）は記録情報を再生した時の信号全体を示している。
【００４４】
図２（Ａ），（Ｂ）に示されるウォブリング信号の波形は当該記録情報を記録するグルーブトラック２のウォブリング状態を反映した形状となっている。
【００４５】
また、図２（Ａ），（Ｂ）に示すように、本実施形態においてＤＶＤ一Ｒｌに記録される記録情報は、予め情報単位としてのシンクフレーム毎に分割されている。そして、２６のシンクフレームにより一のレコーディングセクタが形成され、更に、１６のレコーディングセクタにより一のＥＣＣ（Error Correcting Code）ブロックが形成される。なお、一のシンクフレームは、上記記録情報を記録する際の記録フォーマットにより規定されるビット間隔に対応する単位長さ（以下、Ｔという。）のｌ４８８倍（１４８８Ｔ）の長さを有している。
【００４６】
グルーブトラック２は、全てのシンクフレームに渡って１４５ｋＨｚ（一のシンクフレームが８波に相当する周波数）の一定ウォブリング周波数ｆ0でウォブリングされている。そして、後述の情報記録装置において、当該一定のウォブリング周波数ｆ0を検出することでスピンドルモータの回転制御のための信号が検出される。
【００４７】
一方、本実施形態においてＤＶＤ一Ｒｌに記録されるプリ情報は、シンクフレーム毎に記録される。ここで、プリピット４によるプリ情報の記録においては、記録情報における夫々のシンクフレームにおける同期情報が記録される領域に隣接するランドトラック３上にプリ情報における同期信号を示すものとして必ず一のプリピット４が形成されると共に、当該同期情報以外の当該シンクフレーム内の前半部分に隣接するランドトラック３上に記録すべきプリ情報の内容（アドレス情報）を示すものとして二又は一のプリピット４が形成される。なお、同期情報以外の当該シンクフレーム内の前半部分については、記録すべきブリ情報の内容によってはプリピット４が形成されない場合もある。また、一のレコーディングセクタにおいては、偶数番目のシンクフレーム（以下、ＥＶＥＮフレームという。）のみ又は奇数番目のシンクフレーム（以下、ＯＤＤフレームという。）のみにプリピット４が形成されてプリ情報が記録される場合がある。
【００４８】
このように形成されるプリピット４の再生信号は、図２（Ａ），（Ｂ）に示すように、ウォブリング信号に重畳されており、通常は、ＥＶＥＮシンクフレームにプリピット信号が現れる。しかし、プリピット４が隣接する場合には、プリピット信号間でクロストークが生じるため、図２（Ｂ）に点線で示すように、ＯＤＤシンクフレームにてプリピット信号が得られるように、プリピット４を形成する。また、逆にＯＤＤシンクフレームからＥＶＥＮシンクフレームにプリピット４を移動させる場合もある。
【００４９】
また、プリピット信号は、図２（Ａ）に示すように、ウォブリング信号の８サイクル中にｂ０，ｂ１，ｂ２の３個所に発生する。そして、プリピット信号は、この発生位置によって次のような意味を有している。
【００５０】
図３はこのプリピット信号の意味を説明するための図であり、図３（Ａ）はウォブリング信号とプリピット信号の関係を示す図、図３（Ｂ）はウォブリング信号に対して予想されるプリピット信号の位置を示す図、図３（Ｃ）はウォブリングの８サイクルごとの区切りを示す図、図３（Ｄ）はＥＶＥＮシンクフレームとＯＤＤシンクフレームとの間のプリピットの移動が無い場合のプリピット信号の発生位置の例を示す図、図３（Ｅ）は上記移動が有る場合のプリピット信号の発生位置の例を示す図である。
【００５１】
なお、図３（Ｂ），（Ｄ），（Ｅ）において、三角形で示される位置がＯＤＤシンクフレームに生じるプリピット信号の位置、四角形で示される位置がＥＶＥＮシンクフレームに生じるプリピット信号の位置を示している。
【００５２】
図３（Ｂ），（Ｃ）に示すように、プリピット信号は、いずれのシンクフレームにおいても、ウォブリング信号の８サイクル中の先頭の３サイクルに発生し、残りの５サイクルに発生する場合は無い。
【００５３】
また、図３（Ｄ），（Ｅ）から判るように、ｂ０の位置のプリピット信号は毎シンクフレームで出現する。従って、プリピット信号の値は常に１であり、プリピット信号検出の同期をとるためのシンクビットとして機能している。
【００５４】
ｂ１の位置のプリピット信号は、先頭シンクフレームのみに出現する。プリピット信号の値は、常に１である。また、ｂ１の位置にプリピット信号が出現しない時は、次のｂ２の位置のプリピット信号によりアドレス等のデータを示すことになる。
【００５５】
ｂ２の位置のプリピット信号は、ｂ１の位置にプリピット信号が出現する場合には、ＥＶＥＮシンクフレームまたはＯＤＤシンクフレームの別を表す信号となる。つまり、図３（Ｄ）,（Ｅ）に示すように、ｂ１の位置とｂ２の位置にプリピット信号が出現する場合には、ＥＶＥＮシンクフレームの先頭フレームであることが判り、ｂ１の位置にはプリピット信号が出現してｂ２の位置にプリピット信号が出現しない場合には、ＯＤＤシンクフレームの先頭フレームであることが判る。
【００５６】
また、ｂ１の位置にプリピット信号が出現しない場合には、プリピット信号によりデータの値が示されることになり、ｂ２の位置にプリピット信号が出現すれば１の値を、また、ｂ２の位置にプリピット信号が出現しない場合には０の値を表す。例えば、図３（Ｄ）,（Ｅ）の例では、ＢＩＴ１のデータは１、ＢＩＴ２のデータは０となる。
【００５７】
このように、１セクタは、先頭シンクフレーム（図３においてはＬＰＰ  ＳＹＮＣと示す）と、ＢＩＴ１〜ＢＩＴ１２までのデータ用シンクフレームとから構成されており、以上のように、プリピット信号をデコードすることにより、シンク情報あるいはデータ情報が得られることになる。表１にプリピット信号のデコードの結果を示す。
【００５８】
【表１】
0004033940.tif 000002
従来は以上のようなプリピット信号のデコードを図４に示すような回路により行っていた。
【００５９】
図４に示すプリピット信号デコーダは、再生信号からプリピット信号を抽出して２値化するＬＰＰ２値化回路１００と、再生信号からウォブリング信号を抽出して２値化するウォブリング信号２値化回路１０１とを備えている。
【００６０】
上記ＬＰＰ２値化回路１００から出力される２値化されたプリピット信号（以下、２値化ＬＰＰとする）と、上記ウォブリング２値化回路１０１から出力される２値化ウォブリング信号の立ち下がりエッジは、それぞれ同期用フリップフロップ１０２に入力され、当該フリップフロップ１０２のデータ入力に１をセットしておくことにより、プリピット信号の出現タイミングで順次シフトレジスタ１０３にラッチされる。そして、ラッチされたデータは、予め上記表１のデコード結果を基に作成されて基準シンクパターン発生回路５５に記憶された基準シンクパターンと、比較器１０４において比較され、一致した時にシンク情報あるいはデータ情報が得られることになる。
【００６１】
図５に図４のデコーダを用いたデコード例を示す。なお、図５において符号ａ〜ｆで示される信号は、図４に同じ符号で示した位置の信号である。
【００６２】
フリップフロップ１０２のＱ出力は、ウォブリング信号の周期であるＴ１ごとにリセットされるため、プリピット信号が出現しない場合には、シフトレジスタ１０３には０がラッチされる。そして、時刻ｔ１,ｔ２のようにプリピット信号が出現すると、フリップフロップ１０２のＱ出力は１となり、１がシフトレジスタ１０３にラッチされる。そして、シンクビットから１２個目のサイクルで比較器１０４から検出パルスが出力される。図５の例では、「１１０」という情報がデコードされ、現在のフレームがＯＤＤシンクフレームの先頭フレームであることが判る。
【００６３】
従来は、このようにしてプリピット信号からプリ情報を得ていた。
【００６４】
しかしながら、ディスク１に形成された他のプリピット４からのクロストークが生じた場合、あるいはディスク１上に埃やゴミ等が付着していた場合には、図６に示すように、ウォブリング信号にノイズ成分が重畳されることがあった。
【００６５】
そして、図４に示す回路では、このノイズ成分をプリピット信号として検出してしまうことがあるため、図６に示すように、時刻ｔ６において誤った検出パルスが出力され、本来検出パルスが出力されるべき点線の丸印で示す位置には、検出パルスが出力されないという問題が生じた。
【００６６】
その結果、正しいシンク位相や正しいデータが得られなくなり、記録装置が正常に動作しないことがあった。
【００６７】
そこで、本実施形態では、ウォブリング信号の８サイクル中において、プリピット信号の重畳されていないウォブリング信号が５回連続したことを検出した時に、ウォブリング信号の３サイクル内でプリピット信号の検出を行うこととした。つまり、プリピット信号が出現すべき正しい位置でのみプリピット信号の検出を行い、ウォブリング信号にノイズ成分が重畳した場合でも、誤検出しないようにしたものである。
【００６８】
以下、本実施形態におけるプリピット信号の検出方法について説明する。
【００６９】
まず、図７乃至図１６を用いて、このプリピット信号の検出が行われる本発明に係る情報記録装置の実施の形態について説明する。なお、以下の説明は、ホストコンピュータから送信されてくるディジタル情報を上記ＤＶＤ一Ｒｌに対して記録するための情報記録装置について本発明を適用した実施の形態を説明するものである。
【００７０】
なお、以下の実施の形態では、ＤＶＤ一Ｒ１には、当該ＤＶＤ−Ｒ１上のアドレス情報等を含む上記プリピット４及びウォブリングするグルーブトラック２が予め形成されており、ディジタル情報の記録時には、当該プリピット４を予め検出することによりＤＶＤ一Ｒ１上のアドレス情報を得、これによりディジタル情報を記録するＤＶＤ一Ｒ１上の記録位置を検出して記録するものとする。
【００７１】
図７に示すように、本実施形態の情報記録装置Ｓは、ピックアップ１０と、再生増幅器１１と、デコーダ１２と、ＣＰＵ１３と、エンコーダ１４と、パワー制御回路１５と、レーザ駆動回路１６と、プリピット信号デコーダ１８と、プリピット信号検出器１９と、プリピット信号デコード用タイミング信号発生器２０と、ＢＰＦ（Band Pass Filter）２１と、ウォブリング信号検出器２２と、ウォブリング信号位相比較器２３と、プリピット信号位相比較器２４と、スピンドルドライバ２５と、スピンドルモータ２６と、スイッチ２７と、 ＶＣＯ（Voltage Controlled Oscillator）２８と、基準クロック発生器２９と、スピンドル用位相比較器３０と、分周器３１，３２とを備えている。
【００７２】
この情報記録装置Ｓには、外部のホストコンピュータから記録すべきディジタル情報Ｓｒｒがインターフェース１７を介して入力されている。
【００７３】
次に、全体の動作を説明する。
【００７４】
ピックアップ１０は、図示しないレーザダイオード、偏光ビームスプリッタ、対物レンズ、光検出器等を含み、レーザ、駆動信号Ｓｄｌに基づいて光ビームＢをＤＶＤ一Ｒ１の情報記録面に照射し、その反射光に基づいてラジアルプッシュプル方式により上記プリピット４及びグルーブトラック２のウォブリング信号を検出して記録すべきディジタル情報Ｓｒｒを記録すると共に、既に記録されているディジタル情報がある場合には、上記光ビ−ムＢの反射光に基づいて当該既に記録されているディジタル情報を検出する。
【００７５】
そして、再生増幅器１１は、ピックアップ１０から出力されたプリピット４及びグルーブトラック２のウォブリング信号に対応する情報を含むピックアップ検出信号Ｓｄｔを増幅し、プリピット４及びグルーブトラック２のウォブリング信号に対応するプリ情報信号Ｓｐｐを出力すると共に、既に記録されているディジタル情報に対応する増幅信号Ｓｐを出力する。
【００７６】
その後、デコ−ダ１２は、増幅信号Ｓｐに対して８−１６復調及びデインターリーブを施すことにより当該増幅信号Ｓｐをデコードし、復調信号ＳｄｍをＣＰＵ１３に出力する。
【００７７】
一方、プリピット信号検出器１９は、プリ情報信号Ｓｐｐに基づいて後述の処理によりプリピット検出信号Ｓｐｄとしてのパルス信号をプリピット信号デコーダ１８及びプリピット信号位相比較器２４並びにプリピット信号デコード用タイミング信号発生器２０に出力する。
【００７８】
また、ウォブリング信号検出器２２は、ＢＰＦ２１によりプリ情報信号Ｓｐｐから抽出されたウォブリング信号成分を入力し、当該入力したウォブリング信号成分を内部のコンパレータにより所定の基準値と比較し、当該ウォブリング信号成分の振幅レベルが上記基準値よりも大となる期間だけパルス信号を出力する。すなわち、当核ウォブリング信号成分をパルス列化し、２値化ウォブリング信号Ｓｗｂとして、ウォブリング位相比較器２３に出力する。
【００７９】
上記ウォブリング位相比較器２３、プリピット位相比較器２４、スイッチ２７、ＶＣＯ２８及び分周器３２はいわゆるＰＬＬ回路を構成するものであり、入力された２値化ウォブリング信号Ｓｗｂと同期する記録用クロックＶＣＫを発生させ、同期がとれた場合には、スイッチ２７を切り替えて、上記入力されたプリピット検出信号Ｓｐｄの位相に同期したより正確な記録用クロック信号ＶＣＫをプリピット信号デコード用タイミング信号発生器２０及びプリピット信号エンコーダ１４及ぴプリピット信号検出器１９に出力する。
【００８０】
一方、上記記録用クロック信号ＶＣＫは、二つの分周器３２，３１を介してスピンドル用位相比較器３０に入力され、スピンドル位相比較器２３は、入力された信号と基準クロック発生器２９から供給されるＤＶＤ−Ｒｌの回転連度の基準周波数成分を含む基準クロック信号Ｓｒｅｆとの位相比較を行い、その差信号を回転制御信号としてスピンドルドライバ２５を介してスピンドルモータ２６に供給する。これにより、スピンドルモータ２６に対してスピンドルサーポ制御が施され、ＤＶＤ一Ｒ１は基準クロック信号Ｓｒｅｆの周波数及び位相に基づいた回転連度で回転することとなる。
【００８１】
また、インターフェース１７は、ＣＰＵ１３の制御のもと、ホストコンピュー夕から送信されてくるディジタル情報Ｓｒｒに対して、当該ディジタル情報Ｓｒｒを情報記録装置Ｓに取り込むためのインターブェース動作を行い、インターフェース処埋後のディジタル情報ＳｒｒをＣＰＵ１３を介してエンコーダ１４に出力する。
【００８２】
これにより、エンコーダ１４は、プリピット信号デコード用タイミング信号発生器２０からのエンコード用同期信号Ｓｃｒをタイミング信号として、ＥＣＣジェネレート処理、８−１６変調並びにスクランブル処理を施して変調信号Ｓｒｅを生成し、パワー制伽回路１５に出力する。
【００８３】
その後、パワー制御同路１５は、ＤＶＤ−Ｒ１上に形成される記録ピットの形状を良好とすべく、上記記録用クロック信号ＶＣＫに基づいて変調信号Ｓｒｅの波形変換（いわゆるライトストラテジ処理）を行い、ピックアップ１０内の図示しないレーザダイオードを駆動するための記録信号Ｓｄとして出力する。
【００８４】
更に、レーザ駆動回路１６は、記録信号Ｓｄに基づいて、実際に上記レーザダイオードを駆勤して光ビームＢを出射させるための上記レーザ駆勤信号Ｓｄｌを出力する。
【００８５】
最後に、ＣＰＵ１３は、プリピット信号デコード用タイミング信号発生器２０から出力されるデコードタイミング信号ＷＢ３ＧＡＴＥに基づいて上記プリピット信号デコーダ１８から出力されるプリ情報デコード信号Ｓｐｊに基づいて、上記プリ情報を取得し、当該プリ情報に含まれているアドレス情報に対応するＤＶＤ一Ｒ１上の位置にディジタル情報Ｓｒｒを記録する動作を制御する。これと並行して、ＣＰＵ１３は、復調信号Ｓｄｍに墓づいて、既に記録されていたディジタル情報に対応する再生信号をインターフェース１７を介して外部に出力すると共に、情報記録装置Ｓ全体を制御する。
【００８６】
次に、本実施形態におけるプリピット信号デコード用タイミング信号発生器２０の細部構成及び動作を図８乃至図１０に基づいて説明する。
【００８７】
図８は、プリピット信号デコード用タイミング信号発生器２０の細部構成を示すブロック図である。図８に示すように、該プリピット信号デコード用タイミング信号発生器２０は、プリピット信号が重畳されていないウォブリング信号が５サイクル連続したことを検出するＺＥＲＯ５ＤＥＴ（DETECT）部４０と、フレームの先頭からプリピット信号が重畳されるウォブリング信号の３サイクルの期間をカウントし、所定の制御信号を出力するＷＯＢ３カウンタ部４１と、ウォブリング信号の先頭からの８サイクルをカウントし、所定の制御信号を出力するＷＯＢ８フライホイールカウンタ部４２と、ＷＯＢ３カウンタ部４１とＷＯＢ８フライホイールカウンタ部４２のずれを検出して所定の制御信号を出力するＷＯＢ８カウンタ保護回路４３とを備えている。以下、各部について更に詳しく説明する。
【００８８】
まず、ＺＥＲＯ５ＤＥＴ部４０の細部構成及び動作を、図９のブロック図と図１０のタイミングチャートを用いて説明する。ＺＥＲＯ５ＤＥＴ部４０は、図９に示すように、ゲート発生回路５０と、微分回路５１と、ＡＮＤゲート５２と、フリップフロップ５３と、ＯＲゲート５４，５５と、シフトレジスタ５６と、５入力ＮＡＮＤ５７とを備えている。
【００８９】
ゲート発生回路５０には、ｆVWB信号が入力される。このｆVWB信号は、ウォブリング位相比較器２４とＶＣＯ２８と分周器３２とからなるＰＬＬ回路により、上記２値化ウォブリング信号Ｓｗｂとの位相が揃えられた信号であり、記録用クロックＶＣＫを分周して生成された信号である。
【００９０】
ＺＥＲＯ５ＤＥＴ部４０は、このｆVWB信号に基づいて、プリピット信号の出現しなかった期間をウォブリング信号のサイクルに換算して計測し、この期間がウォブリング信号のサイクルで５サイクルとなった時にＺＥＲＯ５ＤＥＴ信号を出力するものである。
【００９１】
そこで、まず、ゲート発生回路５０は、上記ｆVWB信号に基づいて、図１０に示すようなＬＰＰＧＡＴＥ信号を発生させる。このＬＰＰＧＡＴＥ信号は、プリピット信号がウォブリング信号に重畳されて出現すると推定される期間を示す信号であり、ｆVWB信号の立ち下がりから所定期間後にＯＮ状態となり、上記推定される期間後にＯＦＦ状態となる。上記推定される期間は、本実施形態では、記録用クロックＶＣＫの６５クロック分の期間に設定されている。そして、ゲート発生回路５０あるいは後述する他の回路においては、ＬＰＰＧＡＴＥ信号がＯＮ状態の場合に検出されたプリピット信号のみを採用して、プリピット信号の有無検出あるいはデコードを行っている。従って、プリピット信号が出現し得ないタイミングにおいて、プリピット信号相当の出力レベル値を有するノイズが発生したとしても、当該ノイズをプリピット信号と誤検知することがない。
【００９２】
このＬＰＰＧＡＴＥ信号は、図７に示すプリピット信号デコーダ１８に出力される他、図９に示す微分回路５１及びＡＮＤ回路５２に出力される。
【００９３】
微分回路５２は、ＬＰＰＧＡＴＥ信号の立ち下がりを微分することにより、図１０に示すようなＬＰＧＦＥ信号を作り出す。そして、このＬＰＧＦＥ信号はフリップフロップ５３のリセット端子Ｒに入力される。
【００９４】
一方、上記ＬＰＰＧＡＴＥ信号は、図７に示すプリピット信号検出器１９から出力される２値化ＬＰＰ信号と共に、ＡＮＤゲート５２に入力される。従って、図１０に示すように、ＬＰＰＧＡＴＥ信号がＯＮ状態の時に２値化ＬＰＰ信号が出力されると、ＡＮＤゲート５２の出力が１となり、この出力がフリップフロップ５３のセット端子に入力されるため、フリップフロップ５３のＱ端子の出力であるＬＰＰＳＥＴ信号がＯＮ状態となる。
【００９５】
そして、上述したように、ＬＰＰＧＡＴＥ信号の立ち下がりタイミングを示すＬＰＧＦＥ信号により、フリップフロップ５３がリセットされるため、ＬＰＰＳＥＴ信号はＯＦＦ状態となる。
【００９６】
このように、ＬＰＰＳＥＴ信号は、プリピット信号が出現したことを示す信号であり、ゲート回路による信号処理のために所定の幅を有するように作成される。
【００９７】
次に、シフトレジスタ５６の入力端子ＳＩには、ＯＲゲート５４を介してＬＰＰＳＥＴ信号が入力され、また、シフトレジスタ５６の動作を許可するクロックイネーブル端子ＣＥには、ＯＲゲート５５を介してＬＰＧＦＥ信号が入力される。さらに、シフトレジスタ５６のクロック入力には、記録用クロックＶＣＫが入力される。
【００９８】
従って、シフトレジスタ５６は、ＬＰＰＧＡＴＥ信号の立ち下がりのタイミングでＬＰＰＳＥＴ信号の値をセットし、順次シフトさせるので、図１０のように、２値化ＬＰＰ信号が３回出力された時には、シフトレジスタ５６の１番目、２番目、３番目の出力が１となる。
【００９９】
その結果、シフトレジスタ５６の出力と接続された５入力ＮＡＮＤ５７の出力、即ちＺＥＲＯ５ＤＥＴ信号はＯＦＦ状態となる。
【０１００】
しかし、図１０のように、ＬＰＰＳＥＴ信号のＯＦＦ状態がＬＰＧＦＥ信号の５サイクル分、即ちウォブリング信号の５サイクル分続いた場合には、シフトレジスタ５６の出力はすべて０になるので、５入力ＮＡＮＤゲート５７の出力は１になり、ＺＥＲＯ５ＤＥＴ信号が図１０に示すようにＯＮ状態となる。
【０１０１】
そして、このＺＥＲＯ５ＤＥＴ信号がＯＮ状態になると、後述するＷＯＢ３カウンタ部によりＧＯ３ＷＢＳＱ信号がＯＮ状態にされるため、ＯＲゲート５４，５５を介してシフトレジスタ５６の入力端子ＳＩに１がセットされ、クロックイネーブル端子ＣＥが１となるので、シフトレジスタ５６の出力は記録用クロックＶＣＫのタイミングで全て０となり、ＺＥＲＯ５ＤＥＴ信号は図１０に示すようにＯＦＦ状態となる。
【０１０２】
また、上記ＧＯ３ＷＢＳＱ信号は、後述するように、ＺＥＲＯ５ＤＥＴ信号がＯＮ状態となってからのＬＰＰＧＡＴＥ信号の立ち上がりのタイミングでＷＯＢ３カウンタがウォブリング信号の３サイクル分のカウントを終えるまでは、ＯＮ状態のままであり、当該カウントの終了後にＯＦＦ状態となるので、シフトレジスタ５６によるＬＰＰＳＥＴ信号のＯＦＦ状態のセット及びシフトは、必ずＬＰＰＳＥＴ信号が最初にＯＮ状態となってからのウォブリング信号の４サイクル目から実行される。従って、ＺＥＲＯ５ＤＥＴ信号は、プリピット信号の出現パターンによらずに、プリピット信号の重畳されていないウォブリング信号が５サイクル分検出された時にＯＮ状態となる。
【０１０３】
なお、図９に示すようにＣＨＧ３ＷＢＧＯ信号も、ＯＲゲート５４，５５を介してシフトレジスタ５６に入力されるが、この信号の詳細については後述する。
【０１０４】
以上のように、ＺＥＲＯ５ＤＥＴ部４０においては、プリピット信号の重畳されていないウォブリング信号の５サイクル分の検出信号であるＺＥＲＯ５ＤＥＴ信号、プリピット信号の出現を示すＬＰＰＳＥＴ信号、プリピット信号の出現し得る期間を示すＬＰＰＧＡＴＥ信号が出力され、これらの信号は図８に示す次段のＷＯＢ３カウンタ部４１に出力される。
【０１０５】
次に、このＷＯＢ３カウンタ部４１、さらに次段のＷＯＢ８フライホイールカウンタ部４２について説明する。
【０１０６】
図１１に示すように、ＷＯＢ３カウンタ部４１は、フリップフロップ６０と、ＷＯＢ３カウンタ６１と、微分回路６２と、ＡＮＤ回路６３と、ＷＯＢ８カウンタ６６のトリガ用のフリップフロップ６４と、 ＷＯＢ８カウンタ６６のリセット用のフリップフロップ６５とを備えている。
【０１０７】
一方、ＷＯＢ８カウンタ部４２は、ＷＯＢ８カウンタ６６と、デコード回路６７とを備えている。
【０１０８】
ＷＯＢ３カウンタ部４１には、上述したＺＥＲＯ５ＤＥＴ部４０から、ＺＥＲＯ５ＤＥＴ信号、ＬＰＰＳＥＴ信号、及びＬＰＰＧＡＴＥ信号が入力される。これは、ＷＯＢ３カウンタ部４１が、プリピット信号の重畳されていないウォブリング信号の５サイクルの後に、プリピット信号が重畳されるべきウォブリング信号の３サイクルをカウントすると共に、シンクビットである最初のプリピット信号の入力タイミングにて、後述するＷＯＢ８カウンタに対するトリガー信号を生成する働きを有しているからである。
【０１０９】
まず、ＺＥＲＯ５ＤＥＴ信号は、フリップフロップ６０のセット端子に入力される。これにより、フリップフロップ６０のＱ端子から出力されるＧＯＷＢ３ＳＱ信号は、図１２に示すよう、記録用クロックＶＣＫの立ち上がりのタイミングと同期したＬＰＰＧＡＴＥの立ち上がりのタイミングにて、ＯＮ状態となる。このＧＯ３ＷＢＳＱ信号は、上述したように、ＺＥＲＯ５ＤＥＴ部４０のシフトレジスタ５６の出力を１にして、ＺＥＲＯ５ＤＥＴ信号をＯＦＦ状態にすると共に、図１１に示すようにＷＯＢ３カウンタ６１のイネーブル端子に入力されてＷＯＢ３カウンタ６１のカウント動作を許可状態にするものである。また、ＷＯＢ３カウンタ６１のクロックイネーブル信号は微分回路６２により生成されるＬＰＰＧＡＴＥ信号の立ち上がり信号であるＬＰＧＲＥ信号の入力によりＯＮ状態となるので、ＷＯＢ３カウンタ６１は、ＬＰＰＧＡＴＥ信号の立ち上がりの回数をカウントすることになる。そして、ＷＯＢ３カウンタ６１は、図１２に示すように、カウント値が最初のカウント値である０の期間にＷＢ３ＣＱ０信号をＯＮ状態とし、また、ＬＰＰＧＡＴＥ信号の立ち上がりを３回カウントしたところで、Ｗ３ＲＳＴ信号とＷＢ３ＩＮＩＴ信号をＯＮ状態にする。
【０１１０】
このＷ３ＲＳＴ信号は、上記フリップフロップ６０のリセット端子に入力され、ＧＯ３ＷＢＳＱ信号をＯＦＦ状態にするものである。一方、ＧＯ３ＷＢＳＱ信号がＯＦＦ状態になることにより、ＺＥＲＯ５ＤＥＴ部４０は、再びプリピット信号の重畳されていないウォブリング信号の５サイクルの検出を開始する。従って、当該５サイクルの検出と、ＷＯＢ３カウンタ６１によるＬＰＰＧＡＴＥ信号の３回のカウント、即ちウォブリング信号の３サイクルのカウントとは、交互に行われることになる。
【０１１１】
また、ＷＢ３ＩＮＩＴ信号は、後述するＷＯＢ８カウンタ６６のカウント開始のトリガー信号を生成するためのフリップフロップ６４のリセット端子に入力される。このトリガー信号がＯＮ状態にされるのは、フリップフロップ６４のセット端子に１が入力された時であるから、ＡＮＤ回路６３の入力が全て１となるタイミングである。つまり、ＧＯＷＢ３ＳＱ信号とＬＰＰＧＡＴＥ信号が共にＯＮ状態にある時に、ＬＰＰＳＥＴ信号がＯＮ状態になるタイミングである。このトリガー信号がＯＮ状態になると、フリップフロップ６５のＱ出力端子の出力であるＧＯ８ＷＢＳＱ信号がＯＮ状態となり、ＷＯＢ８カウンタ６６のイネーブル端子に入力されて、ＷＯＢ８カウンタ６６のカウント動作が開始される。従って、上記トリガー信号は、ＬＰＰＳＥＴ信号がＯＮ状態になったタイミングでＯＮ状態となってＷＯＢ８カウンタ６６を動作させると共に、ウォブリング信号の３サイクルをカウントしたタイミングでＯＦＦ状態となって、ＬＰＰＳＥＴ信号のＯＮ状態となるタイミングに同期したＷＯＢ８カウンタ６６の再起動を可能にするものである。なお、このＷＯＢ８カウンタ６６の再起動及び上記ＷＢ３ＣＱ０信号については、後述する。
【０１１２】
以上のように、ＷＯＢ３カウンタ部４１は、ＺＥＲＯ５ＤＥＴ部４０によるプリピット信号の重畳されていないウォブリング信号の５サイクルの検出開始タイミングと、ＷＯＢ８カウンタ６６のカウント開始タイミングとを決定する働きを有している。
【０１１３】
次に、ＷＯＢ８フライホイールカウンタ部４２について説明する。ＷＯＢ８フライホイールカウンタ部４２のＷＯＢ８カウンタ６６は、上述したようにＧＯ８ＷＢＳＱ信号がＯＮ状態になることによりカウント動作を開始するが、このＧＯ８ＷＢＳＱ信号を出力するフリップフロップ６５は、後述する不一致検出回路によりＯＮ状態のＲＳＴ８ＷＢ信号が入力されない限り、出力状態が変わらない。そして、ＧＯ８ＷＢＳＱ信号がＯＮ状態となるのは、プリピット信号の重畳されていないウォブリング信号の５サイクルが検出され、さらにＬＰＰＧＡＴＥ信号がＯＮ状態の時にＬＰＰＳＥＴ信号がＯＮ状態となった時であるから、ＷＯＢ８カウンタ６６は、シンクビットである最初のプリピット信号が出現するタイミングでカウントを開始し、以下、後述するズレ検出が行われない限り、カウントを継続する。そして、ＷＯＢ８カウンタ６６のチップイネーブル端子に入力されるのは、ＬＰＰＧＡＴＥ信号の立ち上がり信号であるから、ＷＯＢ８カウンタ６６は、ＬＰＰＧＡＴＥ信号、即ちウォブリング信号を最初のシンクビットのタイミングから正確にカウントし続けることになる。
【０１１４】
ＷＯＢ８カウンタ６６の出力は、デコード回路６７に入力され、該デコード回路６７はＬＰＰＧＡＴＥ信号のタイミングでデコードを行い、ＰＣＧＡＴＥ信号、ＷＢ３ＧＡＴＥ信号、ＷＢ８ＣＱ０信号を出力する。
【０１１５】
ＰＣＧＡＴＥ信号は、予め８回のウォブリングシーケンスの所定量位置において所定の期間だけＯＮ状態になる信号であり、この信号がＯＮ状態となっている間だけ後述するプリピット信号用位相比較器を動作させるものである。
【０１１６】
また、ＷＢ３ＧＡＴＥ信号は、プリピット信号デコーダ１８に出力される信号であり、プリピット信号が出現するウォブリング信号の最初の３サイクルの期間において、ＯＮ状態にされる。
【０１１７】
さらに、ＷＢ８ＣＱ０信号は、後述する不一致検出に用いる信号である。
【０１１８】
以上のように、プリピット信号の検出及びデコードに必要な信号は、カウント開始タイミングがリアルタイムに変化しないＷＯＢ８カウンタの出力に基づいて得られるので、ウォブリング信号にノイズ成分が重畳した場合でも、その重畳したノイズ成分に拘わらず正確に上記プリピット信号の検出及びデコードを行うことができる。
【０１１９】
次に、ＷＯＢ８カウンタ保護回路４３の構成及び動作について説明する。この回路の細部構成は、図１３に示されており、ラッチ７０と、ズレ検出回路７１と、合致検出回路７２と、セレクタ７３，７４と、ＯＲゲート７５，７６と、バイナリーカウンタ７７と、ＡＮＤゲート７８と、ＳＲ−ＦＦフリップフロップ７９と、ＡＮＤゲート８０と、ＯＲゲート８１と、フリップフロップ８２と、ＡＮＤゲート８３とを備えて構成される。
【０１２０】
ＷＯＢ３カウンタ６１から出力されるＷＢ３ＣＱ０信号と、ＷＯＢ８カウンタ６６から出力されるＷＢ８ＣＱ０信号は、共にカウンタ値が０である時にＯＮ状態になる信号であり、正常な状態では、同じタイミングでＯＮ状態になる。従って、図１４（Ａ），（Ｂ）に示されるようなゲート回路で構成される不一致検出回路７１の出力が０、合致検出回路７２の出力が１となる。
【０１２１】
また、パワーオン時には、ＯＲゲート７５の出力が１になるので、フリップフロップ８２の出力は０であり、プリピット信号の位置がウォブリング信号の８サイクル中の正しい位置にないことを示すＰＣＷＢＮＧ信号はＯＦＦ状態になり、セレクタ７３及びセレクタ７４は０入力端子が有効になる。従って、パワーオン時には、不一致検出回路７１の出力がセレクタ７３を介してバイナリカウンタ７７のクロックイネーブル端子に入力されることになり、不一致の回数がカウントされることになる。そして、合致検出回路７２の出力はフリップフロップ７４を介してバイナリカウンタ７７のリセット端子に入力される。
【０１２２】
つまり、正常な状態においては、常に合致検出回路７２の出力がＯＮ状態になるため、バイナリカウンタ７７のカウンタ値は常にリセットされた状態になる。
【０１２３】
一方、図１５に示すように、時刻ｔｎ１及びｔｎ２においてノイズが発生した場合には、ＺＥＲＯ５ＤＥＴ部４０のシフトレジスタ５６の出力はその度に少なくともいくつかは１になり、時刻ｔｎ２の次のタイミングからシフトレジスタ５６の出力を０とする５サイクル分のシフトが行われることになる。従って、時刻ｔｎ３のタイミングでＺＥＲＯ５ＤＥＴ信号がＯＮ状態になり、ＧＯ３ＷＢＳＱ信号がＯＮ状態になった時には、ＷＯＢ３カウンタ６１のカウンタ値は０、ＷＯＢ８カウンタ６６のカウンタ値は６であり、ＷＯＢ３カウンタ６１のカウンタ値が０の時に出力されるＷＢ３ＣＱ０信号と、ＷＯＢ８カウンタ６６のカウンタ値が０の時に出力されるＷＯＢ８ＣＱ０信号とがＯＮ状態になるタイミングは一致しないことになる。
【０１２４】
その結果、不一致検出回路７１の出力がＯＮ状態になり、バイナリカウンタ７７においては不一致の回数がカウントされることになる。
【０１２５】
そして、不一致の回数が連続して４回になった時には、バイナリカウンタ７７の４回出力がＯＮ状態になるがＡＮＤゲート７８の入力に接続されたフリップフロップ８２の出力はまだ０なので、ＡＮＤゲート７８の出力は０のままである。さらに、不一致の回数が連続して１６に達した時は、バイナリカウンタ７７の１６回出力がＯＮ状態になり、フリップフロップ７９の出力がＯＮ状態になる。そして、この出力はＡＮＤゲート８０に入力され、ＷＯＢ８カウンタ６６のカウンタ値が２のタイミングでＯＮ状態となるＷＢ８ＣＱ２信号が出力されるタイミングでＣＨＧ３ＷＢＧＯ信号がＯＮ状態になる。このＣＨＧ３ＷＢＧＯ信号は、ＺＥＲＯ５ＤＥＴ信号を強制的にＯＦＦ状態にするための信号であり、ＣＨＧ３ＷＢＧＯ信号の立ち下がりのタイミングから、新たにＺＥＲＯ５ＤＥＴ信号の検出シーケンスが開始される。このように、本実施形態では、上記ズレが１６回連続して発生した場合には、当該ズレの原因が、ノイズによるＺＥＲＯ５ＤＥＴ信号の検出のズレにあると仮定して修正処理を行う。そして、この修正処理の結果、図１５に示すように時刻ｔｎ４で不一致が解消した場合には、ＷＢ３ＣＱ０信号とＷＢ８ＣＱ０信号がＯＮ状態になるタイミングが合致するので、合致検出回路７２の出力がＯＮ状態になり、セレクタ７４を介してバイナリカウンタ７７がリセットされる。
【０１２６】
一方、ＣＨＧ３ＷＢＧＯ信号をＯＮ状態にしても、ＬＰＰＳＥＴ信号がノイズ等の影響を受けて、上記の不一致が連続して発生し、ズレの回数が３２回に達した時は、バイナリカウンタ７７の３２回出力がＯＮ状態になり、フリップフロップ８２の出力であるＰＣＷＢＮＧ信号が図１６に示すように時刻ｔｎ５のタイミングでＯＮ状態になる。その後のゼロ５ＤＥＴ検出シーケンスで、ＧＯ３ＷＯＢ信号がＯＮとなり、ＷＯＢ３カウンタ６１のカウントが開始されるＷＢ３ＩＮＩＴ信号の立ち上がりである時刻ｔｎ６にて、ＷＯＢ８カウンタ６６をリセットするＲＳＴ８ＷＢ信号がＯＮ状態になる。
【０１２７】
このＲＳＴ８ＷＢ信号がＯＮ状態になると、図１１に示すフリップフロップ６５のリセット端子に当該信号が入力されて、フリップフロップ６５の出力であるＧＯ８ＷＢＳＱ信号がＯＦＦ状態になる。更にこのＯＦＦ状態のＧＯ８ＷＢＳＱ信号がＷＯＢ８カウンタ６６のイネーブル端子に入力されるため、ＷＯＢ８カウンタ６６のカウント動作が停止することになる。また、ＲＳＴ８ＷＢ信号はＷＯＢ８カウンタ６６のリセット端子に入力されるため、ＷＯＢ８カウンタ６６のカウント値はゼロにクリアされる。
【０１２８】
その結果、ＰＣＧＡＴＥ信号、ＷＢ３ＧＡＴＥ信号、及びＷＢ８ＣＱ０信号は全てＯＦＦ状態になり、位相比較及びデコード処理は停止することになる。
【０１２９】
このような処理を行うのは、ＷＯＢ８カウンタ６６のカウント値が、プリピット信号の位置に対してズレていると判断されるため、入力プリピット信号の位相にＷＯＢ８カウンタ６６のカウントタイミングを合わせようとする再引込動作を開始するためのものである。
【０１３０】
上記ＰＣＷＢＮＧ信号がＯＮ状態になると、セレクタ７３，７４は１入力端子が有効になるため、バイナリカウンタ７７のクロックイネーブル端子に入力される信号は、合致検出回路７２の出力になる。つまり、バイナリカウンタ７７は、ＷＢ３ＣＱ０信号とＷＢ８ＣＱ０信号との一致回数をカウントするカウンタとして機能することになる。
【０１３１】
また、以上のようにＷＯＢ８カウンタ６６が停止した状態で、ＧＯ３ＷＢＳＱ信号がＯＮ状態になる期間内において、プリピット信号が出現した場合には、フリップフロップ６４及び６５を介してＧＯ８ＷＢＳＱ信号がＯＮ状態になり、ＷＯＢ８カウンタ６６のカウンタがスタートする。
【０１３２】
そして、その後ＷＢ３ＣＱ０信号とＷＢ８ＣＱ０信号が４回連続して一致した場合には、上述したように一致回数カウンタとして機能しているバイナリカウンタ７７の４回出力がＯＮ状態になり、また、ＰＣＷＢＮＧ信号がＯＮ状態であるから、図１６に時刻ｔｎ７で示すタイミングでＡＮＤゲート７８の出力であるＰＣＷＢＯＫ信号がＯＮ状態になり、プリピット信号の位置がウォブリング信号の８サイクルの前半３サイクル内にあり、正常な状態になったことがＣＰＵ１３に出力される。また、上記ＯＮ状態になったＰＣＷＢＯＫ信号はＯＲゲート７５に入力され、ＯＲゲート７５の出力がフリップフロップ８２のリセット端子に入力されるため、ＰＣＷＢＮＧ信号はＯＦＦ状態になる。これにより、セレクタ７３，７４は０入力端子が有効になり、バイナリカウンタ７７は再びＷＢ３ＣＱ０信号とＷＢ８ＣＱ０信号との不一致回数をカウントするカウンタとして機能することになる。
【０１３３】
以上のように本実施形態によれば、プリピット信号のシンクビットに同期してカウントが開始され、その後は記録用クロックＶＣＫに同期して自走するＷＯＢ８カウンタによりウォブリング信号の８サイクルをカウントし、その８サイクル中の前半３サイクルに出現するプリピット信号のみを採用して位相比較及びデコード処理を行うので、ウォブリング信号にノイズが重畳する場合でも、誤検出することなく正確な位相比較及びデコード処理が行われることになる。
【０１３４】
また、プリピット信号は、ＺＥＲＯ５ＤＥＴ部４０及びＷＯＢ３カウンタ部４１により、リアルタイムで検出されており、仮に上記ＷＯＢ８カウンタ６６が誤ったタイミングで自走を開始したとしても、ＷＯＢ３カウンタ部４１の方が正しい場合には、ＷＢ８カウンタ保護回路４３によりＷＯＢ８カウンタ６６のリセットが行われ、常に正確なプリピット信号検出が保証される。
【０１３５】
更に、 ＷＯＢ３カウンタ部４１がノイズを誤検出したとしても、 ＷＢ８カウンタ保護回路４３によりＷＯＢ３カウンタ部４１のリセットが行われるので、この場合にも正確なプリピット信号検出が保証されることになる。
【０１３６】
次に、以上ようにして正確に検出されるプリピット信号を用いて行われるプリピット信号の位相比較器２４の構成及び動作について詳しく説明する。
【０１３７】
プリピット信号位相比較器２４は、図１７に示すように、ゲートタイミング発生器９０と、ＶＣＯ２８の電圧を上昇させる位相エラー生成器９１と、ＶＣＯ２８の電圧を降下させる位相エラー発生器９２と、ＰＣＧＡＴＥ信号を延長させるエキスパンダ９３と、ＮＯＲゲート９４と、ＮＡＮＤゲート９５と、増幅器９６とを備えている。
【０１３８】
本実施形態では、図１８に示すようなエラー電圧特性を採用しており、エラー電圧値がゼロになるタイミングにて、ゲートタイミング発生器９０から内部基準位相信号ＴＣＦＸを出力する。また、ゲートタイミング発生器９０は、位相エラー生成器９１に対してはＶＣＯ２８の電圧調整を行う最初のタイミングを示すＢＴＭＥＮＤ信号を、また、位相エラー生成器９２には、ＰＣＧＡＴＥ信号のエキスパンド処理を行う臨界タイミングであるＴＯＰＳＩＤＥ信号を出力する。
【０１３９】
そして、夫々の位相エラー生成器９１，９２においては、上記ＢＴＭＥＮＤ信号とＴＯＰＳＩＤＥ信号に対するＬＰＰＳＥＴ信号の検出タイミングを判定して、ＶＣＯ２８に対する調整電圧等を決定している。
【０１４０】
例えば図１８（Ｆ）の例のようなタイミングで、ＬＰＰＳＥＴ信号が検出された場合には、この検出タイミングから上記内部基準位相信号ＴＣＦＸまでの期間においてＶＣＯ２８の出力電圧を上昇させるように、ＬＰＰＥＲＲ信号をゲート９４，９５及び増幅器９６を介して出力する。
【０１４１】
一方、図１８（Ｇ）の例の場合には、プリピット信号の検出タイミングからＴＯＰＳＩＤＥ信号のタイミングまでの期間においてＶＣＯ２８の電圧を降下させる信号を出力する。
【０１４２】
また、図１８（Ｆ）の場合には、位相エラーが大きいので、ＶＣＯ２８のゲインオーバーを防ぐためにＢＴＭＥＮＤ信号からＴＣＦＸ信号までの一定幅の期間においてＶＣＯ２８の電圧を上昇させるＬＰＰＥＲＲ信号を出力する。
【０１４３】
更に、図１８（Ｉ）の場合にも、同様に一定幅の信号を出力するが、この場合には、位相比較を行う期間を示すＰＣＧＡＴＥ信号をエキスパンダ９３により延長して、電圧を降下させる一定幅のＬＰＰＥＲＲ信号の出力を行う。
【０１４４】
本実施形態では、このように位相比較処理を行うので、高速かつ的確に位相をロックさせることができる。また、上記位相比較処理は、上述のように正確に検出され、デコードされたプリピット信号の情報に基づくＰＣＧＡＴＥ信号のＯＮ状態時にのみ行われるので、誤りなく正確に行われることになる。
【０１４５】
なお、本実施形態では、ＤＶＤ−Ｒについて本発明を適用した場合について説明したが、本発明はこれに限られるものではなく、トラックのウォブリングにより記録制御のめたの情報を記録している記録媒体（例えば、テープ状記録媒体等）に対して、所定のディジタル情報を記録する場合に広く適用することができる。
【０１４６】
【発明の効果】
以上説明したように、請求項１に記載のプリピット情報検出装置によれば、プリピット信号検出手段によるプリピット信号の不検出期間をウォブリング信号の周期単位で計測し、計測した不検出期間と予め定められた第１の所定期間とを比較し、これらが一致した場合には、プリピット信号による情報を解析するためのプリピット信号の検出を、ウォブリング信号の周期を単位とする第２の所定期間内において許可するようにしたので、当該検出を、確実にプリピット信号が重畳される期間において行うことができ、ノイズ成分を誤ってプリピット信号と検出してしまうことを防止することができる。
【０１４７】
請求項２に記載のプリピット情報検出装置によれば、プリピット信号検出手段によるプリピット信号の不検出期間をウォブリング信号の周期単位で計測し、計測した不検出期間と予め定められた第１の所定期間とを比較し、これらが一致した場合には、プリピット信号による情報を解析するためのプリピット信号の検出を、ウォブリング信号の周期を単位とする第２の所定期間内において許可すると共に、プリピット信号の検出許可後の最初の検出を契機として、ウォブリング信号の周期に対応する周期で自走して、自走開始からの経過時間を計測するようにしたので、当該検出を、確実にプリピット信号が重畳される期間において行うことができ、ノイズ成分を誤ってプリピット信号と検出してしまうことを防止することができる。更に、自走による計測を開始した以降は、その計測結果を用いて、上記プリピット信号の重畳される期間と重畳されない期間とを判別することができるので、ノイズに影響されることなく、プリピット信号に基づく情報を正確に得ることができる。
【０１４８】
請求項３に記載のプリピット情報検出装置によれば、上記プリピット信号の重畳される期間の計測開始のタイミングと、上記自走による計測開始のタイミングを比較し、上記ウォブリング信号の周期を単位とする両者の不一致回数に応じて、上記重畳される期間の計測または上記自走による計測を再起動させるので、上記重畳される期間あるいは自走による計測のいずれかが誤ったタイミングで計測を開始したとしても、その後に正しいタイミングへと修正することができ、常に正確なプリピット信号情報の検出を行うことができる。
【０１４９】
請求項４に記載のプリピット情報検出装置によれば、自走により計測される上記経過時間に応じて、プリピット情報解析のためのタイミング信号が発生されるので、当該タイミング信号はノイズに影響されない正確なものとなり、この正確なタイミング信号により、正確に検出されたプリピット信号に基づく情報の処理を行うことができる。
【０１５０】
請求項５に記載のプリピット情報検出装置によれば、所定の周波数を有する基準信号を生成すると共に、所定の周期で検出される上記プリピット信号と上記基準信号との位相を比較して、当該位相差が所定範囲内に収束するように上記基準信号の周波数を変更するので、上記基準信号とプリピット信号の位相は常に一致したものとなり、正確な処理を行うことができる。しかも、上記位相比較は、タイミング信号が出力された期間においてのみ許可されるので、ノイズの影響を受けることなく、正確に行うことができる。
【０１５１】
請求項６に記載のプリピット情報検出方法によれば、プリピット信号の不検出期間をウォブリング信号の周期単位で計測し、計測した不検出期間と予め定められた第１の所定期間とを比較し、これらが一致した場合には、プリピット信号による情報を解析するためのプリピット信号の検出を、ウォブリング信号の周期を単位とする第２の所定期間内において許可するようにしたので、当該検出を、確実にプリピット信号が重畳される期間において行うことができ、ノイズ成分を誤ってプリピット信号と検出してしまうことを防止することができる。
【０１５２】
請求項７に記載のプリピット情報検出方法によれば、プリピット信号の不検出期間をウォブリング信号の周期単位で計測し、計測した不検出期間と予め定められた第１の所定期間とを比較し、これらが一致した場合には、プリピット信号による情報を解析するためのプリピット信号の検出を、ウォブリング信号の周期を単位とする第２の所定期間内において許可すると共に、プリピット信号の検出許可後の最初の検出を契機として、ウォブリング信号の周期に対応する周期で自走して、自走開始からの経過時間を計測するようにしたので、当該検出を、確実にプリピット信号が重畳される期間において行うことができ、ノイズ成分を誤ってプリピット信号と検出してしまうことを防止することができる。更に、自走による計測を開始した以降は、その計測結果を用いて、上記プリピット信号の重畳される期間と重畳されない期間とを判別することができるので、ノイズに影響されることなく、プリピット信号に基づく情報を正確に得ることができる。
【０１５３】
請求項８に記載のプリピット情報検出方法によれば、上記プリピット信号の重畳される期間の計測開始のタイミングと、上記自走による計測開始のタイミングを比較し、上記ウォブリング信号の周期を単位とする両者の不一致回数に応じて、上記重畳される期間の計測または上記自走による計測を再起動させるので、上記重畳される期間あるいは自走による計測のいずれかが誤ったタイミングで計測を開始したとしても、その後に正しいタイミングへと修正することができ、常に正確なプリピット信号情報の検出を行うことができる。
【０１５４】
請求項９に記載のプリピット情報検出方法によれば、自走により計測される上記経過時間に応じて、プリピット情報解析のためのタイミング信号が発生されるので、当該タイミング信号はノイズに影響されない正確なものとなり、この正確なタイミング信号により、正確に検出されたプリピット信号に基づく情報の処理を行うことができる。
【０１５５】
請求項１０に記載のプリピット情報検出方法によれば、所定の周波数を有する基準信号を生成すると共に、所定の周期で検出される上記プリピット信号と上記基準信号との位相を比較して、当該位相差が所定範囲内に収束するように上記基準信号の周波数を変更するので、上記基準信号とプリピット信号の位相は常に一致したものとなり、正確な処理を行うことができる。しかも、上記位相比較は、タイミング信号が出力された期間においてのみ許可されるので、ノイズの影響を受けることなく、正確に行うことができる。
【図面の簡単な説明】
【図１】本発明の一実施形態におけるＤＶＤ一Ｒの構成の一例を示す斜視図である。
【図２】（Ａ），（Ｂ）は本実施形態のＤＶＤ一Ｒにおける記録フォーマットの一例を示す図である。
【図３】（Ａ）〜（Ｅ）は本実施形態におけるプリピット信号により表される情報を説明する図である。
【図４】従来のプリピット信号のデコード部の概略構成を示すブロック図である。
【図５】図４のデコード部を用いた従来のプリピット信号のデコード例を示すタイミングチャートである。
【図６】従来の方式において、ウォブリング信号にノイズが重畳された場合のプリピット信号のデコード例を示すタイミングチャートである。
【図７】本実施形態のプリピット情報検出装置を含む情報記録装置の概略構成を示すブロック図である。
【図８】本実施形態のプリピット情報検出装置の概略構成を示すブロック図である。
【図９】本実施形態のＺＥＲＯ５ＤＥＴ部の概略構成を示すブロック図である。
【図１０】本実施形態のＺＥＲＯ５ＤＥＴ部の動作を示すタイミングチャートである。
【図１１】本実施形態のＷＯＢ３カウンタ部及びＷＯＢ８カウンタ部の概略構成を示すブロック図である。
【図１２】本実施形態のＷＯＢ３カウンタ部及びＷＯＢ８カウンタ部の動作を示すタイミングチャートである。
【図１３】本実施形態のＷＢ８カウンタ保護回路の概略構成を示すブロック図である。
【図１４】（Ａ）は本実施形態の不一致回路を示すブロック図、（Ｂ）は本実施形態の合致回路を示すブロック図である。
【図１５】本実施形態のＷＢ８カウンタ保護回路の動作例を示すタイミングチャートである。
【図１６】本実施形態のＷＢ８カウンタ保護回路の動作例を示すタイミングチャートである。
【図１７】本実施形態のプリピット信号位相比較回路の概略構成を示すブロック図である。
【図１８】（Ａ）〜（Ｉ）は本実施形態のプリピット信号位相比較回路の動作を示すタイミングチャートである。
【符号の説明】
１…ＤＶＤ−Ｒ
２…グルーブトラック
３…ランドトラック
４…プリピット
５…色素膜
６…金蒸着面
７…保護層
１０…ピックアップ
１１…再生増幅器
１２…デコーダ
１３…ＣＰＵ
１４…エンコーダ
１５…パワー制御回路
１６…レーザ駆動回路
１７…インターフェース
１８…プリピット信号デコーダ
１９…プリピット信号検出器
２０…プリピット信号デコード用タイミング信号発生器
２１…ＢＰＦ
２２…ウォブリング信号検出器
２３…ウォブリング信号位相比較器
２４…プリピット信号位相比較器
２５…スピンドルドライバ
２６…スピンドルモータ
２７…スイッチ
２８…ＶＣＯ
２９…基準クロック発生器
３０…スピンドル用位相比較器
３１,３２…分周器
Ｂ…光ビーム
Ｓ…情報記録装置
ＳＰ…光スポット
Ｓｐｐ…プリ情報信号
Ｓｐｄ…復調プリピット検出信号
Ｓｒｅｆ…基準信号
Ｓｒｒ…ディジタル情報
Ｓｃｒ…エンコード用同期信号
Ｓｒｅ…変調信号
Ｓｄ…記録信号
Ｓｄｌ…レーザ駆動信号
Ｓｐｊ…プリ情報デコード信号
Ｓｄｍ…復調信号
Ｓｄｔ…ピックアップ検出信号
Ｓｗｂ…２値化ウォブリング信号
Ｓｐ…増幅信号
ｆVWB…２値化ウォブリング信号と同位相の信号
ＶＣＫ…記録エンコード用クロック
【図１】
0004033940.tif 000003
【図２】
0004033940.tif 000004
【図３】
0004033940.tif 000005
【図４】
0004033940.tif 000006
【図５】
0004033940.tif 000007
【図６】
0004033940.tif 000008
【図７】
0004033940.tif 000009
【図８】
0004033940.tif 000010
【図９】
0004033940.tif 000011
【図１０】
0004033940.tif 000012
【図１１】
0004033940.tif 000013
【図１２】
0004033940.tif 000014
【図１３】
0004033940.tif 000015
【図１４】
0004033940.tif 000016
【図１５】
0004033940.tif 000017
【図１６】
0004033940.tif 000018
【図１７】
0004033940.tif 000019
【図１８】
0004033940.tif 000020